(57)【要約】【課題】電化装置によって消費される電力の使用を最適化するサーバ装置を提供する。【解決手段】状態記憶部１５は、電化装置ごとに付与されたＩＤに対応付けて電化装置の消費電力値を記憶する。記録部１３は、電化装置の稼動状態を検出する無線発信装置から発信されたＩＤと稼動情報とを含む無線信号を受信し、受信した無線信号に含まれるＩＤに対応付けて状態記憶部１５に稼動情報を記録する。消費電力算出部１６は、状態記憶部１５からＩＤと稼動情報とを読み出し、読み出した稼動情報に基づいて全ての電化装置よって消費される総消費電力値を算出する。予定生成部１８は、算出された総消費電力値と、予め設定されている最大電力値と、電化装置の消費電力値に基づいて予定情報を生成する。予定設定制御装置は、予定情報に基づいて電化装置の起動、停止を行う制御情報を含む無線信号を電化装置に送信する。【選択図】    図２
2006164171.tif 000002
【特許請求の範囲】
【請求項１】
電化装置によって消費される電力に基づいて前記電化装置の起動と停止の制御を行うサーバ装置であって、
電化装置ごとに付与されたＩＤに対応付けて前記電化装置の消費電力値を記憶する状態記憶手段と、
前記電化装置の稼動状態を前記電化装置の電源ケーブルから検出する無線発信装置から発信された前記ＩＤと前記稼動状態を示す稼動情報とを含む無線信号を受信する第１の受信手段と、
前記第１の受信手段が受信した前記無線信号に含まれる前記ＩＤに対応付けて前記状態記憶手段に稼動情報を記録する第１の記録手段と、
前記状態記憶手段から前記ＩＤと前記稼動情報と前記消費電力とを読み出し、読み出した前記稼動情報と前記消費電力とに基づいて前記状態記憶手段に記憶されている全ての前記電化装置よって消費される総消費電力値を算出する消費電力算出手段と、
前記消費電力算出手段によって算出された前記総消費電力値と、予め設定されている最大電力値と、前記状態記憶手段に記憶されている前記電化装置の前記消費電力値に基づいて予定情報を生成する予定生成手段と、
前記予定生成手段が生成した前記予定情報に基づいて前記電化装置の起動、停止を行う制御情報を含む無線信号を前記電化装置に送信する指示手段と、
を備えたことを特徴とするサーバ装置。
【請求項２】
前記状態記憶手段は、更に
前記ＩＤに対応付けて予定完了時刻と必要動作時間とを記憶しており、
前記予定生成手段は、
前記消費電力算出手段によって算出された前記総消費電力値と、予め設定されている最大電力値と、前記状態記憶手段に記憶されている前記電化装置の前記消費電力値と、前記予定完了時刻と、前記必要動作時間とに基づいて予定情報を生成し、
前記指示手段は、
前記予定生成手段が生成した前記予定情報に基づいて前記電化装置の起動時刻の設定を行う制御信号または停止を行う制御情報を含む無線信号を前記電化装置に送信することを特徴とする請求項１に記載のサーバ装置。
【請求項３】
前記電化装置は、前記電化装置を一意に識別可能なＩＤと自らが消費する消費電力値とを含む無線信号を発信しており、
前記電化装置から発信される前記無線信号を受信する第２の受信手段と、
前記第２の受信手段が受信した前記無線信号に含まれている前記ＩＤと前記消費電力値と前記状態記憶手段に記録する第２の記録手段と、
を更に備えたことを特徴とする請求項１または２に記載のサーバ装置。
【請求項４】
電源が供給されたときに、予め設定されている一意に識別可能なＩＤと自らが消費する消費電力値とを含む無線信号を発信する発信手段と、
制御信号を受信する受信手段と、
前記受信手段が受信した前記制御信号に基づいて起動、停止を行う制御手段と、
を備えた電化装置。
【請求項５】
内部に記憶されている起動時刻に基づいて起動を行うタイマと、を備え、
前記制御手段は、
前記発信手段は、内部に記憶されている予定完了時刻と必要動作時間とを読み出し、読み出した前記予定完了時刻と前記必要動作時間とを前記ＩＤと前記消費電力値ともに前記無線信号によって送信し、
前記受信手段が受信した前記制御信号に基づいて前記起動時刻の設定、停止を行うことを特徴とする請求項４に記載の電化装置。
【請求項６】
電化装置の電源ケーブルに流れる電流を計測するセンサと、
前記センサによって計測された電流の値に基づいて稼動状態を判定し、判定した稼動状態を示す稼動情報と前記電化装置を一意に識別可能なＩＤとを含む無線信号を発信する発信手段と、
を備えた無線発信装置。
【請求項７】
電化装置によって消費される電力に基づいて前記電化装置の起動と停止の制御を行う複数のサーバ装置に接続され、前記複数のサーバ装置で消費される電力を管理する管理サーバ装置であって、
前記サーバ装置ごとの余剰電力値を記憶する余剰電力記憶手段と、
前記サーバ装置から情報を受信する受信手段と、
前記受信手段が受信した情報が余剰電力通知か不足電力要求かを判定する判定手段と、
前記判定手段によって受信した情報が前記余剰電力通知であると判定された場合に、前記余剰電力通知に含まれる電力値を前記余剰電力記憶手段の送信元の前記サーバ装置に対応する余剰電力値に加算する余剰電力記録手段と、
前記判定手段によって受信した情報が前記不足電力要求であると判定された場合に、前記不足電力要求に含まれる電力値と、前記余剰電力記憶手段に記憶されている前記余剰電力値とに基づいて電力を提供できるか否かを判定する電力提供判定手段と、
前記電力提供判定手段によって、電力が提供できると判定された場合に、提供電力に基づいて提供元の前記サーバ装置に対応する前記余剰電力記憶手段の余剰電力値を更新する更新手段と、
提供電力の値を含む不足電力応答を前記不足電力要求の送信元のサーバ装置に送信する送信手段と、
を備えたことを特徴とする管理サーバ装置。
【請求項８】
複数の電化装置と、前記電化装置によって消費される電力に基づいて前記電化装置の起動と停止の制御を行う複数のサーバ装置と、前記電化装置の稼動状態を検出可能な無線発信装置と、前記複数のサーバ装置で消費される電力を管理する管理サーバ装置と、を具備した電化装置制御システムにおけるサーバ装置であって、
前記電化装置から発信された前記無線信号を受信し、受信した前記無線信号に含まれている前記ＩＤと前記消費電力値とを対応付けて状態記憶手段に記録する第１の記録手段と、
前記無線発信装置から発信された前記ＩＤと前記稼動状態を示す稼動情報とを含む無線信号を受信し、受信した前記無線信号に含まれる前記ＩＤに対応付けて前記状態記憶手段に稼動情報を記録する第２の記録手段と、
前記状態記憶手段から前記ＩＤと前記稼動情報と前記消費電力とを読み出し、読み出した前記稼動情報と前記消費電力とに基づいて前記状態記憶手段に記憶されている全ての前記電化装置よって消費される総消費電力値を算出する消費電力算出手段と、
前記消費電力算出手段によって算出された前記総消費電力値と、予め設定されている最大電力値と、前記状態記憶手段に記憶されている前記電化装置ごとの前記消費電力値とに基づいて残電力値を算出し、算出した残電力値に基づいて残電力の過不足を判定する判定手段と、
前記判定手段によって、残電力値に余剰電力が存在すると判定された場合には、前記管理サーバ装置に、余剰電力値を含む余剰電力通知を送信する余剰電力通知手段と、
前記判定手段によって、残電力値が不足していると判定された場合には、前記管理サーバ装置に、不足電力値を含んだ不足電力要求を送信する不足電力要求手段と、
前記管理サーバ装置から前記不足電力要求に対する不足電力応答を受信した場合は、前記不足電力応答に含まれている提供を受ける電力値と、前記総消費電力値と、前記電化装置ごとの前記消費電力値とに基づいて予定情報を生成し、前記余剰電力送信手段によって前記余剰電力通知を送信した場合には、前記余剰電力値と、前記総消費電力値と、前記電化装置ごとの前記消費電力値とに基づいて予定情報を生成する予定生成手段と、
前記予定生成手段が生成した前記予定情報に基づいて前記電化装置の起動、停止を行う制御信号を前記電化装置に送信する指示手段と、
を備えたことを特徴とするサーバ装置。
【請求項９】
複数の電化装置と、前記電化装置によって消費される電力に基づいて前記電化装置の起動と停止の制御を行う複数のサーバ装置と、前記電化装置の稼動状態を検出可能な無線発信装置と、前記サーバ装置に接続される管理サーバ装置と、を具備した電化装置制御システムであって、
前記電化装置は、
電源が供給されたときに、予め設定されている前記電化装置を一意に識別可能なＩＤと自らが消費する消費電力値とを含む無線信号を発信する第１の発信手段と、
制御信号を受信する第１の受信手段と、によって構成され、
前記無線発信装置は、
電化装置の電源ケーブルに流れる電流を計測するセンサと、
前記センサによって計測された電流の値に基づいて稼動状態を判定し、判定した稼動状態を示す稼動情報と前記電化装置を一意に識別可能なＩＤとを含む無線信号を発信する第２の発信手段と、によって構成され、
前記サーバ装置は、
前記電化装置から発信された前記無線信号を受信し、受信した前記無線信号に含まれている前記ＩＤと前記消費電力値とを対応付けて状態記憶手段に記録する第１の記録手段と、
前記無線発信装置から発信された前記ＩＤと前記稼動状態を示す稼動情報とを含む無線信号を受信し、受信した前記無線信号に含まれる前記ＩＤに対応付けて前記状態記憶手段に稼動情報を記録する第２の記録手段と、
前記状態記憶手段から前記ＩＤと前記稼動情報と前記消費電力とを読み出し、読み出した前記稼動情報と前記消費電力とに基づいて前記状態記憶手段に記憶されている全ての前記電化装置よって消費される総消費電力値を算出する消費電力算出手段と、
前記消費電力算出手段によって算出された前記総消費電力値と、予め設定されている最大電力値と、前記状態記憶手段に記憶されている前記電化装置ごとの前記消費電力値とに基づいて残電力値を算出し、算出した残電力値に基づいて残電力の過不足を判定する判定手段と、
前記判定手段によって、残電力値に余剰電力が存在すると判定された場合には、前記管理サーバ装置に、余剰電力値を含む余剰電力通知を送信する余剰電力通知手段と、
前記判定手段によって、残電力値が不足していると判定された場合には、前記管理サーバ装置に、不足電力値を含んだ不足電力要求を送信する不足電力要求手段と、
前記管理サーバ装置から前記不足電力要求に対する不足電力応答を受信した場合は、前記不足電力応答に含まれている提供を受ける電力値と、前記総消費電力値と、前記電化装置ごとの前記消費電力値とに基づいて予定情報を生成し、前記余剰電力送信手段によって前記余剰電力通知を送信した場合には、前記余剰電力値と、前記総消費電力値と、前記電化装置ごとの前記消費電力値とに基づいて予定情報を生成する予定生成手段と、
前記予定生成手段が生成した前記予定情報に基づいて前記電化装置の起動、停止を行う制御信号を前記電化装置に送信する指示手段と、によって構成され、
前記管理サーバ装置は、
前記サーバ装置ごとの余剰電力値を記憶する余剰電力記憶手段と、
前記余剰電力通知あるいは前記不足電力要求を受信する第２の受信手段と、
前記第２の受信手段が前記余剰電力通知を受信した場合には、前記余剰電力通知に含まれる電力値を前記余剰電力記憶手段の送信元の前記サーバ装置に対応する余剰電力値に加算する余剰電力記録手段と、
前記第２の受信手段が前記不足電力要求を受信した場合には、前記不足電力要求に含まれる電力値と、前記余剰電力記憶手段に記憶されている前記余剰電力値とに基づいて電力を提供できるか否かを判定する電力提供判定手段と、
前記電力提供判定手段によって、電力が提供できると判定された場合に、提供電力に基づいて提供元の前記サーバ装置に対応する前記余剰電力記憶手段の余剰電力値を更新する更新手段と、
提供電力の値を含む不足電力応答を前記不足電力要求の送信元のサーバ装置に送信する送信手段と、
によって構成されることを特徴とする電化装置制御システム。
【請求項１０】
複数の電化装置と、前記電化装置によって消費される電力に基づいて前記電化装置の起動と停止の制御を行う複数のサーバ装置と、前記電化装置の電源ケーブルに流れる電流を計測するセンサを有する無線発信装置と、前記サーバ装置に接続され、前記サーバ装置ごとの余剰電力値を記憶する余剰電力記憶手段を有する管理サーバ装置と、を具備した電化装置制御システムにおける電力管理方法であって、
前記電化装置が、電源が供給されたときに、予め設定されている前記電化装置を一意に識別可能なＩＤを含む無線信号を発信するステップと、
前記無線発信装置が、前記センサによって計測された電流の値に基づいて稼動状態を判定し、判定した稼動状態を示す稼動情報と前記電化装置を一意に識別可能なＩＤとを含む無線信号を発信するステップと、
前記サーバ装置が、前記電化装置から発信された前記無線信号を受信し、受信した前記無線信号に含まれている前記ＩＤと前記消費電力値とを対応付けて状態記憶手段に記録するステップと、
前記サーバ装置が、前記無線発信装置から発信された前記ＩＤと前記稼動状態を示す稼動情報とを含む無線信号を受信し、受信した前記無線信号に含まれる前記ＩＤに対応付けて前記状態記憶手段に稼動情報を記録するステップと、
前記サーバ装置が、前記状態記憶手段から前記ＩＤと前記稼動情報と前記消費電力とを読み出し、読み出した前記稼動情報と前記消費電力とに基づいて前記状態記憶手段に記憶されている全ての前記電化装置よって消費される総消費電力値を算出するステップと、
前記サーバ装置が、算出した前記総消費電力値と、予め設定されている最大電力値と、前記状態記憶手段に記憶されている前記電化装置ごとの前記消費電力値とに基づいて残電力値を算出するステップと、
前記サーバ装置が、算出した残電力値に基づいて残電力の過不足を判定するステップと、
前記サーバ装置が、残電力値に余剰電力が存在すると判定した場合には、前記管理サーバ装置に、余剰電力値を含む余剰電力通知を送信するステップと、
前記サーバ装置が、残電力値が不足していると判定した場合には、前記管理サーバ装置に、不足電力値を含んだ不足電力要求を送信する不足電力要求手段と、
前記管理サーバ装置が、前記余剰電力通知あるいは前記不足電力要求を受信するステップと、
前記管理サーバ装置が、前記余剰電力通知が受信した場合には、前記余剰電力通知に含まれる電力値を前記余剰電力記憶手段の送信元の前記サーバ装置に対応する余剰電力値に加算するステップと、
前記管理サーバ装置が、前記不足電力要求が受信した場合には、前記不足電力要求に含まれる電力値と、前記余剰電力記憶手段に記憶されている前記余剰電力値とに基づいて電力を提供できるか否かを判定するステップと、
前記電力提供判定手段によって、電力が提供できると判定された場合に、提供電力に基づいて提供元の前記サーバ装置に対応する前記余剰電力記憶手段の余剰電力値を更新するステップと、
提供電力の値を含む不足電力応答を前記不足電力要求の送信元のサーバ装置に送信するステップと、
前記サーバ装置が、前記管理サーバ装置から前記不足電力応答を受信した場合は、前記不足電力応答に含まれている提供を受ける電力値と、前記総消費電力値と、前記電化装置ごとの前記消費電力値とに基づいて予定情報を生成し、前記余剰電力送信手段によって前記余剰電力通知を送信した場合には、前記余剰電力値と、前記総消費電力値と、前記電化装置ごとの前記消費電力値とに基づいて予定情報を生成するステップと、
前記サーバ装置が、生成した前記予定情報に基づいて前記電化装置の起動、停止を行う制御信号を前記電化装置に送信するステップと、
前記電化装置が、前記制御信号を受信するステップと、
を有することを特徴とする電力管理方法。
【請求項１１】
電化装置ごとに付与されたＩＤに対応付けて前記電化装置の消費電力値を記憶する記憶手段を備え、前記電化装置によって消費される電力に基づいて前記電化装置の起動と停止の制御を行うサーバ装置のコンピュータを、
前記電化装置の稼動状態を前記電化装置の電源ケーブルから検出する無線発信装置から発信された前記ＩＤと前記稼動状態を示す稼動情報とを含む無線信号を受信する第１の受信手段、
前記第１の受信手段が受信した前記無線信号に含まれる前記ＩＤに対応付けて前記状態記憶手段に稼動情報を記録する第１の記録手段、
前記状態記憶手段から前記ＩＤと前記稼動情報と前記消費電力とを読み出し、読み出した前記稼動情報と前記消費電力とに基づいて前記状態記憶手段に記憶されている全ての前記電化装置よって消費される総消費電力値を算出する消費電力算出手段、
前記消費電力算出手段によって算出された前記総消費電力値と、予め設定されている最大電力値と、前記状態記憶手段に記憶されている前記電化装置の前記消費電力値に基づいて予定情報を生成する予定生成手段、
前記予定生成手段が生成した前記予定情報に基づいて前記電化装置の起動、停止を行う制御情報を含む無線信号を前記電化装置に送信する指示手段、
として機能させるためのコンピュータプログラム。
【請求項１２】
電化装置によって消費される電力に基づいて前記電化装置の起動と停止の制御を行う複数のサーバ装置に接続され、前記複数のサーバ装置で消費される電力を管理し、前記サーバ装置ごとの余剰電力値を記憶する余剰電力記憶手段を備えた管理サーバ装置のコンピュータを
前記サーバ装置から情報を受信する受信手段、
前記受信手段が受信した情報が余剰電力通知か不足電力要求かを判定する判定手段、
前記判定手段によって受信した情報が前記余剰電力通知であると判定された場合に、前記余剰電力通知に含まれる電力値を前記余剰電力記憶手段の送信元の前記サーバ装置に対応する余剰電力値に加算する余剰電力記録手段、
前記判定手段によって受信した情報が前記不足電力要求であると判定された場合に、前記不足電力要求に含まれる電力値と、前記余剰電力記憶手段に記憶されている前記余剰電力値とに基づいて電力を提供できるか否かを判定する電力提供判定手段、
前記電力提供判定手段によって、電力が提供できると判定された場合に、提供電力に基づいて提供元の前記サーバ装置に対応する前記余剰電力記憶手段の余剰電力値を更新する更新手段、
提供電力の値を含む不足電力応答を前記不足電力要求の送信元のサーバ装置に送信する送信手段、
として機能させるためのコンピュータプログラム。
【請求項１３】
請求項１１または１２に記載のコンピュータプログラムを記録したコンピュータ読み取り可能な記録媒体。
【発明の詳細な説明】
【技術分野】
【０００１】
本発明は、家庭で利用される電化装置の消費電力を最適化するサーバ装置、電化装置、無線発信装置、管理サーバ、電化装置制御システム、電力管理方法並びにコンピュータプログラム及びその記録媒体に関する。
【背景技術】
【０００２】
従来の技術において、家庭用のシステムに、特別な配線無しに省エネ制御の方式を取り入れ、家電などの電化装置をネットワークに接続することで電化装置の情報を収集して、住宅全体での省エネルギー化を図ることは既に実現されている。このようなシステムの目的は、電力使用状況や省エネガイダンスを表示して居住者に省エネルギー化を意識付けるようにすることや、居住者の不在を検出することによってエアコン・照明・テレビの消し忘れを防止したり、生体に適したエアコン温度のゆらぎ制御、利用状況に適応して省エネルギー化を図ることにある（非特許文献１、２、３参照）。
【非特許文献１】財団法人  省エネルギーセンター、“稼動時電気損失削減最適制御技術開発”、［ｏｎｌｉｎｅ］、［平成１６年１０月２９日検索］、インターネット<http://www.eccj.or.jp/ctrl/result14.html>
【非特許文献２】財団法人  省エネルギーセンター、“家庭でのやさしい省エネ制御”、［ｏｎｌｉｎｅ］、［平成１６年１０月２９日検索］、インターネット< http://www.eccj.or.jp/ctrl/home.html>
【非特許文献３】財団法人  省エネルギーセンター、“ＩＴ対応最適省エネ制御システムの開発”、［ｏｎｌｉｎｅ］、［平成１６年１０月２９日検索］、インターネット<http://www.eccj.or.jp/magazine/shoene0108.html>
【発明の開示】
【発明が解決しようとする課題】
【０００３】
上述した従来の技術では、システムにおける省エネルギー化、即ち消費電力の削減を図ることは行われている。しかしながら、市場ニーズとして、単に消費電力の削減を行うだけではなく、電力の消費方法を最適化することによって、電気料金、即ちコストを削減するといったことも望まれているという課題が存在する。
【０００４】
本発明は、上記課題を解決するためになされたもので、その目的は、電化装置によって消費される電力の使用を最適化するサーバ装置、電化装置、無線発信装置、管理サーバ、電化装置制御システム、電力管理方法並びにコンピュータプログラム及びその記録媒体を提供することにある。
【課題を解決するための手段】
【０００５】
上述した課題を解決するために、本発明は、電化装置によって消費される電力に基づいて前記電化装置の起動と停止の制御を行うサーバ装置であって、電化装置ごとに付与されたＩＤに対応付けて前記電化装置の消費電力値を記憶する状態記憶手段と、前記電化装置の稼動状態を前記電化装置の電源ケーブルから検出する無線発信装置から発信された前記ＩＤと前記稼動状態を示す稼動情報とを含む無線信号を受信する第１の受信手段と、前記第１の受信手段が受信した前記無線信号に含まれる前記ＩＤに対応付けて前記状態記憶手段に稼動情報を記録する第１の記録手段と、前記状態記憶手段から前記ＩＤと前記稼動情報と前記消費電力とを読み出し、読み出した前記稼動情報と前記消費電力とに基づいて前記状態記憶手段に記憶されている全ての前記電化装置よって消費される総消費電力値を算出する消費電力算出手段と、前記消費電力算出手段によって算出された前記総消費電力値と、予め設定されている最大電力値と、前記状態記憶手段に記憶されている前記電化装置の前記消費電力値に基づいて予定情報を生成する予定生成手段と、前記予定生成手段が生成した前記予定情報に基づいて前記電化装置の起動、停止を行う制御情報を含む無線信号を前記電化装置に送信する指示手段と、を備えたことを特徴とするサーバ装置である。
【０００６】
本発明は、上記に記載の発明において、前記状態記憶手段は、更に前記ＩＤに対応付けて予定完了時刻と必要動作時間とを記憶しており、前記予定生成手段は、前記消費電力算出手段によって算出された前記総消費電力値と、予め設定されている最大電力値と、前記状態記憶手段に記憶されている前記電化装置の前記消費電力値と、前記予定完了時刻と、前記必要動作時間とに基づいて予定情報を生成し、前記指示手段は、前記予定生成手段が生成した前記予定情報に基づいて前記電化装置の起動時刻の設定を行う制御信号または停止を行う制御情報を含む無線信号を前記電化装置に送信することを特徴とする。
【０００７】
本発明は、上記に記載の発明において、前記電化装置は、一意に識別可能なＩＤと自らが消費する消費電力値とを含む無線信号を発信しており、前記電化装置から発信される前記無線信号を受信する第２の受信手段と、前記第２の受信手段が受信した前記無線信号に含まれている前記ＩＤと前記消費電力値と前記状態記憶手段に記録する第２の記録手段と、を更に備えたことを特徴とする。
【０００８】
本発明は、電源が供給されたときに、予め設定されている一意に識別可能なＩＤと自らが消費する消費電力値とを含む無線信号を発信する発信手段と、制御信号を受信する受信手段と、前記受信手段が受信した前記制御信号に基づいて起動、停止を行う制御手段と、を備えた電化装置である。
【０００９】
本発明は、上記に記載の発明において、内部に記憶されている起動時刻に基づいて起動を行うタイマと、を備え、前記制御手段は、前記発信手段は、内部に記憶されている予定完了時刻と必要動作時間とを読み出し、読み出した前記予定完了時刻と前記必要動作時間とを前記ＩＤと前記消費電力値ともに前記無線信号によって送信し、前記受信手段が受信した前記制御信号に基づいて前記起動時刻の設定、停止を行うことを特徴とする。
【００１０】
本発明は、電化装置の電源ケーブルに流れる電流を計測するセンサと、前記センサによって計測された電流の値に基づいて稼動状態を判定し、判定した稼動状態を示す稼動情報と前記電化装置を一意に識別可能なＩＤとを含む無線信号を発信する発信手段と、を備えた無線発信装置である。
【００１１】
本発明は、電化装置によって消費される電力に基づいて前記電化装置の起動と停止の制御を行う複数のサーバ装置に接続され、前記複数のサーバ装置で消費される電力を管理する管理サーバ装置であって、前記サーバ装置ごとの余剰電力値を記憶する余剰電力記憶手段と、前記サーバ装置から情報を受信する受信手段と、前記受信手段が受信した情報が余剰電力通知か不足電力要求かを判定する判定手段と、前記判定手段によって受信した情報が前記余剰電力通知であると判定された場合に、前記余剰電力通知に含まれる電力値を前記余剰電力記憶手段の送信元の前記サーバ装置に対応する余剰電力値に加算する余剰電力記録手段と、前記判定手段によって受信した情報が前記不足電力要求であると判定された場合に、前記不足電力要求に含まれる電力値と、前記余剰電力記憶手段に記憶されている前記余剰電力値とに基づいて電力を提供できるか否かを判定する電力提供判定手段と、前記電力提供判定手段によって、電力が提供できると判定された場合に、提供電力に基づいて提供元の前記サーバ装置に対応する前記余剰電力記憶手段の余剰電力値を更新する更新手段と、提供電力の値を含む不足電力応答を前記不足電力要求の送信元のサーバ装置に送信する送信手段と、を備えたことを特徴とする管理サーバ装置である。
【００１２】
本発明は、複数の電化装置と、前記電化装置によって消費される電力に基づいて前記電化装置の起動と停止の制御を行う複数のサーバ装置と、前記電化装置の稼動状態を検出可能な無線発信装置と、前記複数のサーバ装置で消費される電力を管理する管理サーバ装置と、を具備した電化装置制御システムにおけるサーバ装置であって、前記電化装置から発信された前記無線信号を受信し、受信した前記無線信号に含まれている前記ＩＤと前記消費電力値とを対応付けて状態記憶手段に記録する第１の記録手段と、前記無線発信装置から発信された前記ＩＤと前記稼動状態を示す稼動情報とを含む無線信号を受信し、受信した前記無線信号に含まれる前記ＩＤに対応付けて前記状態記憶手段に稼動情報を記録する第２の記録手段と、前記状態記憶手段から前記ＩＤと前記稼動情報と前記消費電力とを読み出し、読み出した前記稼動情報と前記消費電力とに基づいて前記状態記憶手段に記憶されている全ての前記電化装置よって消費される総消費電力値を算出する消費電力算出手段と、前記消費電力算出手段によって算出された前記総消費電力値と、予め設定されている最大電力値と、前記状態記憶手段に記憶されている前記電化装置ごとの前記消費電力値とに基づいて残電力値を算出し、算出した残電力値に基づいて残電力の過不足を判定する判定手段と、前記判定手段によって、残電力値に余剰電力が存在すると判定された場合には、前記管理サーバ装置に、余剰電力値を含む余剰電力通知を送信する余剰電力通知手段と、前記判定手段によって、残電力値が不足していると判定された場合には、前記管理サーバ装置に、不足電力値を含んだ不足電力要求を送信する不足電力要求手段と、前記管理サーバ装置から前記不足電力要求に対する不足電力応答を受信した場合は、前記不足電力応答に含まれている提供を受ける電力値と、前記総消費電力値と、前記電化装置ごとの前記消費電力値とに基づいて予定情報を生成し、前記余剰電力送信手段によって前記余剰電力通知を送信した場合には、前記余剰電力値と、前記総消費電力値と、前記電化装置ごとの前記消費電力値とに基づいて予定情報を生成する予定生成手段と、前記予定生成手段が生成した前記予定情報に基づいて前記電化装置の起動、停止を行う制御信号を前記電化装置に送信する指示手段と、を備えたことを特徴とするサーバ装置である。
【００１３】
本発明は、複数の電化装置と、前記電化装置によって消費される電力に基づいて前記電化装置の起動と停止の制御を行う複数のサーバ装置と、前記電化装置の稼動状態を検出可能な無線発信装置と、前記サーバ装置に接続される管理サーバ装置と、を具備した電化装置制御システムであって、前記電化装置は、電源が供給されたときに、予め設定されている前記電化装置を一意に識別可能なＩＤと自らが消費する消費電力値とを含む無線信号を発信する第１の発信手段と、制御信号を受信する第１の受信手段と、によって構成され、前記無線発信装置は、電化装置の電源ケーブルに流れる電流を計測するセンサと、前記センサによって計測された電流の値に基づいて稼動状態を判定し、判定した稼動状態を示す稼動情報と前記電化装置を一意に識別可能なＩＤとを含む無線信号を発信する第２の発信手段と、によって構成され、前記サーバ装置は、前記電化装置から発信された前記無線信号を受信し、受信した前記無線信号に含まれている前記ＩＤと前記消費電力値とを対応付けて状態記憶手段に記録する第１の記録手段と、前記無線発信装置から発信された前記ＩＤと前記稼動状態を示す稼動情報とを含む無線信号を受信し、受信した前記無線信号に含まれる前記ＩＤに対応付けて前記状態記憶手段に稼動情報を記録する第２の記録手段と、前記状態記憶手段から前記ＩＤと前記稼動情報と前記消費電力とを読み出し、読み出した前記稼動情報と前記消費電力とに基づいて前記状態記憶手段に記憶されている全ての前記電化装置よって消費される総消費電力値を算出する消費電力算出手段と、前記消費電力算出手段によって算出された前記総消費電力値と、予め設定されている最大電力値と、前記状態記憶手段に記憶されている前記電化装置ごとの前記消費電力値とに基づいて残電力値を算出し、算出した残電力値に基づいて残電力の過不足を判定する判定手段と、前記判定手段によって、残電力値に余剰電力が存在すると判定された場合には、前記管理サーバ装置に、余剰電力値を含む余剰電力通知を送信する余剰電力通知手段と、前記判定手段によって、残電力値が不足していると判定された場合には、前記管理サーバ装置に、不足電力値を含んだ不足電力要求を送信する不足電力要求手段と、前記管理サーバ装置から前記不足電力要求に対する不足電力応答を受信した場合は、前記不足電力応答に含まれている提供を受ける電力値と、前記総消費電力値と、前記電化装置ごとの前記消費電力値とに基づいて予定情報を生成し、前記余剰電力送信手段によって前記余剰電力通知を送信した場合には、前記余剰電力値と、前記総消費電力値と、前記電化装置ごとの前記消費電力値とに基づいて予定情報を生成する予定生成手段と、前記予定生成手段が生成した前記予定情報に基づいて前記電化装置の起動、停止を行う制御信号を前記電化装置に送信する指示手段と、によって構成され、前記管理サーバ装置は、前記サーバ装置ごとの余剰電力値を記憶する余剰電力記憶手段と、前記余剰電力通知あるいは前記不足電力要求を受信する第２の受信手段と、前記第２の受信手段が前記余剰電力通知を受信した場合には、前記余剰電力通知に含まれる電力値を前記余剰電力記憶手段の送信元の前記サーバ装置に対応する余剰電力値に加算する余剰電力記録手段と、前記第２の受信手段が前記不足電力要求を受信した場合には、前記不足電力要求に含まれる電力値と、前記余剰電力記憶手段に記憶されている前記余剰電力値とに基づいて電力を提供できるか否かを判定する電力提供判定手段と、前記電力提供判定手段によって、電力が提供できると判定された場合に、提供電力に基づいて提供元の前記サーバ装置に対応する前記余剰電力記憶手段の余剰電力値を更新する更新手段と、提供電力の値を含む不足電力応答を前記不足電力要求の送信元のサーバ装置に送信する送信手段と、によって構成されることを特徴とする電化装置制御システムである。
【００１４】
本発明は、複数の電化装置と、前記電化装置によって消費される電力に基づいて前記電化装置の起動と停止の制御を行う複数のサーバ装置と、前記電化装置の電源ケーブルに流れる電流を計測するセンサを有する無線発信装置と、前記サーバ装置に接続され、前記サーバ装置ごとの余剰電力値を記憶する余剰電力記憶手段を有する管理サーバ装置と、を具備した電化装置制御システムにおける電力管理方法であって、前記電化装置が、電源が供給されたときに、予め設定されている前記電化装置を一意に識別可能なＩＤを含む無線信号を発信するステップと、前記無線発信装置が、前記センサによって計測された電流の値に基づいて稼動状態を判定し、判定した稼動状態を示す稼動情報と前記電化装置を一意に識別可能なＩＤとを含む無線信号を発信するステップと、前記サーバ装置が、前記電化装置から発信された前記無線信号を受信し、受信した前記無線信号に含まれている前記ＩＤと前記消費電力値とを対応付けて状態記憶手段に記録するステップと、前記サーバ装置が、前記無線発信装置から発信された前記ＩＤと前記稼動状態を示す稼動情報とを含む無線信号を受信し、受信した前記無線信号に含まれる前記ＩＤに対応付けて前記状態記憶手段に稼動情報を記録するステップと、前記サーバ装置が、前記状態記憶手段から前記ＩＤと前記稼動情報と前記消費電力とを読み出し、読み出した前記稼動情報と前記消費電力とに基づいて前記状態記憶手段に記憶されている全ての前記電化装置よって消費される総消費電力値を算出するステップと、前記サーバ装置が、算出した前記総消費電力値と、予め設定されている最大電力値と、前記状態記憶手段に記憶されている前記電化装置ごとの前記消費電力値とに基づいて残電力値を算出するステップと、前記サーバ装置が、算出した残電力値に基づいて残電力の過不足を判定するステップと、前記サーバ装置が、残電力値に余剰電力が存在すると判定した場合には、前記管理サーバ装置に、余剰電力値を含む余剰電力通知を送信するステップと、前記サーバ装置が、残電力値が不足していると判定した場合には、前記管理サーバ装置に、不足電力値を含んだ不足電力要求を送信する不足電力要求手段と、前記管理サーバ装置が、前記余剰電力通知あるいは前記不足電力要求を受信するステップと、前記管理サーバ装置が、前記余剰電力通知が受信した場合には、前記余剰電力通知に含まれる電力値を前記余剰電力記憶手段の送信元の前記サーバ装置に対応する余剰電力値に加算するステップと、前記管理サーバ装置が、前記不足電力要求が受信した場合には、前記不足電力要求に含まれる電力値と、前記余剰電力記憶手段に記憶されている前記余剰電力値とに基づいて電力を提供できるか否かを判定するステップと、前記電力提供判定手段によって、電力が提供できると判定された場合に、提供電力に基づいて提供元の前記サーバ装置に対応する前記余剰電力記憶手段の余剰電力値を更新するステップと、提供電力の値を含む不足電力応答を前記不足電力要求の送信元のサーバ装置に送信するステップと、前記サーバ装置が、前記管理サーバ装置から前記不足電力応答を受信した場合は、前記不足電力応答に含まれている提供を受ける電力値と、前記総消費電力値と、前記電化装置ごとの前記消費電力値とに基づいて予定情報を生成し、前記余剰電力送信手段によって前記余剰電力通知を送信した場合には、前記余剰電力値と、前記総消費電力値と、前記電化装置ごとの前記消費電力値とに基づいて予定情報を生成するステップと、前記サーバ装置が、生成した前記予定情報に基づいて前記電化装置の起動、停止を行う制御信号を前記電化装置に送信するステップと、前記電化装置が、前記制御信号を受信するステップと、を有することを特徴とする電力管理方法である。
【００１５】
本発明は、電化装置ごとに付与されたＩＤに対応付けて前記電化装置の消費電力値を記憶する記憶手段を備え、前記電化装置によって消費される電力に基づいて前記電化装置の起動と停止の制御を行うサーバ装置のコンピュータを、前記電化装置の稼動状態を前記電化装置の電源ケーブルから検出する無線発信装置から発信された前記ＩＤと前記稼動状態を示す稼動情報とを含む無線信号を受信する第１の受信手段、前記第１の受信手段が受信した前記無線信号に含まれる前記ＩＤに対応付けて前記状態記憶手段に稼動情報を記録する第１の記録手段、前記状態記憶手段から前記ＩＤと前記稼動情報と前記消費電力とを読み出し、読み出した前記稼動情報と前記消費電力とに基づいて前記状態記憶手段に記憶されている全ての前記電化装置よって消費される総消費電力値を算出する消費電力算出手段、前記消費電力算出手段によって算出された前記総消費電力値と、予め設定されている最大電力値と、前記状態記憶手段に記憶されている前記電化装置の前記消費電力値に基づいて予定情報を生成する予定生成手段、前記予定生成手段が生成した前記予定情報に基づいて前記電化装置の起動、停止を行う制御情報を含む無線信号を前記電化装置に送信する指示手段、として機能させるためのコンピュータプログラムである。
【００１６】
本発明は、電化装置によって消費される電力に基づいて前記電化装置の起動と停止の制御を行う複数のサーバ装置に接続され、前記複数のサーバ装置で消費される電力を管理し、前記サーバ装置ごとの余剰電力値を記憶する余剰電力記憶手段を備えた管理サーバ装置のコンピュータを前記サーバ装置から情報を受信する受信手段、前記受信手段が受信した情報が余剰電力通知か不足電力要求かを判定する判定手段、前記判定手段によって受信した情報が前記余剰電力通知であると判定された場合に、前記余剰電力通知に含まれる電力値を前記余剰電力記憶手段の送信元の前記サーバ装置に対応する余剰電力値に加算する余剰電力記録手段、前記判定手段によって受信した情報が前記不足電力要求であると判定された場合に、前記不足電力要求に含まれる電力値と、前記余剰電力記憶手段に記憶されている前記余剰電力値とに基づいて電力を提供できるか否かを判定する電力提供判定手段、前記電力提供判定手段によって、電力が提供できると判定された場合に、提供電力に基づいて提供元の前記サーバ装置に対応する前記余剰電力記憶手段の余剰電力値を更新する更新手段、提供電力の値を含む不足電力応答を前記不足電力要求の送信元のサーバ装置に送信する送信手段、として機能させるためのコンピュータプログラムである。
【００１７】
本発明は、上記に記載のコンピュータプログラムを記録したコンピュータ読み取り可能な記録媒体である。
【発明の効果】
【００１８】
この発明によれば、サーバ装置は、電化装置ごとに付与されたＩＤに対応付けて電化装置の消費電力値を記憶する状態記憶手段を備えている。そして、前記電化装置の稼動状態を前記電化装置の電源ケーブルから検出する無線発信装置から発信された電化装置ごとに付与されたＩＤと稼動状態を示す稼動情報とを含む無線信号を受信する。受信した無線信号に含まれるＩＤに対応付けて状態記憶手段に稼動情報を記録する。状態記憶手段からＩＤと稼動情報とを読み出し、読み出した稼動情報に基づいて状態記憶手段に記憶されている全ての電化装置よって消費される総消費電力値を算出する。算出した総消費電力値と、予め設定されている最大電力値と、状態記憶手段に記憶されている電化装置の消費電力値に基づいて予定情報を生成する。そして、生成した予定情報に基づいて電化装置の起動、停止を行う制御情報を含む無線信号を電化装置に送信する構成にした。そのため、サーバ装置は、電化装置によって消費される電力を算出し、算出した総消費電力に基づいて電化装置の起動、停止を行うことができる。それによって、サーバ装置に起動と停止を制御される電化装置によって消費される時間当たりの総消費電力を平均化するという最適化を図ることが可能となる。
【００１９】
また、本発明によれば、サーバ装置において、状態記憶手段は、更にＩＤに対応付けて予定完了時刻と必要動作時間とを記憶しており、算出された総消費電力値と、予め設定されている最大電力値と、状態記憶手段に記憶されている電化装置の消費電力値と、予定完了時刻と、必要動作時間とに基づいて予定情報を生成する。そして、生成した予定情報に基づいて電化装置の起動時刻の設定を行う制御信号または停止を行う制御情報を含む無線信号を電化装置に送信する構成にした。そのため、サーバ装置は、タイマを内蔵する電化装置の場合に、総消費電力値と、最大電力値と、各電化装置の消費電力値と、当該電化装置の予定完了時刻と、必要動作時間とに基づいてタイマを内蔵する電化装置のタイマ起動時刻の設定を行うことができる。それによって、サーバ装置に起動と停止を制御されるタイマを内蔵する電化装置によって消費される時間当たりの総消費電力を平均化するという最適化を図ることが可能となる。
【００２０】
また、本発明によれば、電化装置は、電化装置を一意に識別可能なＩＤと自らが消費する消費電力値とを含む無線信号を発信しており、サーバ装置は、電化装置から無線信号を受信し、受信した無線信号に含まれているＩＤと消費電力値と状態記憶手段に記録する構成にした。そのため、サーバ装置は、電化装置から発信される無線信号に基づいて状態記憶手段に情報を記録することができる。それによって、ユーザの操作によって各電化装置の消費電力やＩＤを状態記憶手段に記録する手間を省くことが可能となる。
【００２１】
また、本発明によれば、電化装置は、電源が供給されたときに、予め設定されている前記電化装置を一意に識別可能なＩＤと自らが消費する消費電力値とを含む無線信号を発信する。また、制御信号を受信し、受信した制御信号に基づいて起動、停止を行う構成にした。そのため、電化装置は、電力の管理を行うサーバ装置にＩＤと消費電力を含む無線信号を送信し、またサーバ装置からの制御信号に基づいて起動、停止を行うことができる。それによって、電化装置によって消費される時間当たりの総消費電力を平均化するという最適化を図ることが可能となる。
【００２２】
また、本発明によれば、電化装置は、内部に記憶されている起動時刻に基づいて起動を行うタイマを備えており、内部に記憶されている予定完了時刻と必要動作時間とを読み出し、読み出した予定完了時刻と必要動作時間とをＩＤと消費電力値ともに無線信号によって送信する。また、受信した制御信号に基づいて起動時刻の設定、停止を行う構成にした。そのため、タイマを備えた電化装置は、サーバ装置からの制御信号に基づいてタイマ起動あるいは停止を行うことができる。それによって、タイマを備えた電化装置によって消費される時間当たりの総消費電力を平均化するという最適化を図ることが可能となる。
【００２３】
また、本発明によれば、無線発信装置は、電化装置の電源ケーブルに流れる電流を計測するセンサを備えており、センサによって計測された電流の値に基づいて稼動状態を判定し、判定した稼動状態を示す稼動情報と電化装置を一意に識別可能なＩＤとを含む無線信号を発信する。そのため、無線発信装置は、電化装置の稼動状態をサーバ装置に送信することが可能となる。
【００２４】
また、本発明によれば、管理サーバ装置は、サーバ装置ごとの余剰電力値を記憶する余剰電力記憶手段を備えている。また、管理サーバ装置は、サーバ装置から情報を受信するし、受信した情報が余剰電力通知あるいは不足電力要求を判定する。余剰電力通知を受信した場合には、余剰電力通知に含まれる電力値を余剰電力記憶手段の送信元のサーバ装置に対応する余剰電力値に加算する。不足電力要求を受信した場合には、不足電力要求に含まれる電力値と、余剰電力記憶手段に記憶されている余剰電力値とに基づいて電力を提供できるか否かを判定する。電力が提供できると判定された場合に、提供電力に基づいて提供元のサーバ装置に対応する余剰電力記憶手段の余剰電力値を更新し、提供電力の値を含む不足電力応答を不足電力要求の送信元のサーバ装置に送信する構成にした。そのため、管理サーバ装置は、余剰電力を有するサーバ装置に電力が不足しているサーバ装置へ余剰電力を提供することができる。それによって、複数のサーバ装置によって起動と停止を制御される電化装置によって消費される時間当たりの総消費電力を平均化し、電化装置全体で消費される総消費電力の最大消費電力値を低減するという最適化を図ることが可能となる。
【００２５】
また、本発明によれば、サーバ装置は、電化装置から発信された無線信号を受信し、受信した無線信号に含まれているＩＤと消費電力値とを対応付けて状態記憶手段に記録する。また、無線発信装置から発信されたＩＤと前記稼動状態を示す稼動情報とを含む無線信号を受信し、受信した無線信号に含まれるＩＤに対応付けて状態記憶手段に稼動情報を記録する。状態記憶手段からＩＤと稼動情報と消費電力とを読み出し、読み出した稼動情報と消費電力とに基づいて状態記憶手段に記憶されている全ての電化装置よって消費される総消費電力値を算出する。算出した総消費電力値と、予め設定されている最大電力値と、状態記憶手段に記憶されている電化装置ごとの消費電力値とに基づいて残電力値を算出する。算出した残電力値に基づいて残電力の過不足を判定し、残電力値に余剰電力が存在すると判定した場合には、管理サーバ装置に、余剰電力値を含む余剰電力通知を送信する。一方、残電力値が不足していると判定した場合には、管理サーバ装置に、不足電力値を含んだ不足電力要求を送信する。管理サーバ装置から不足電力要求に対する不足電力応答を受信した場合は、不足電力応答に含まれている提供を受ける電力値と、総消費電力値と、電化装置ごとの消費電力値とに基づいて予定情報を生成する。一方、管理サーバ装置に、余剰電力通知を送信した場合には、余剰電力値と、総消費電力値と、電化装置ごとの消費電力値とに基づいて予定情報を生成する。生成した予定情報に基づいて電化装置の起動、停止を行う制御信号を電化装置に送信する構成とした。そのため、サーバ装置は、余剰電力が存在する場合には、管理サーバへ余剰電力値を送信し、一方、電力が不足している場合には、不足電力値を管理サーバに要求し、余剰電力が存在する場合には、不足電力の提供を受けることが可能となる。それによって、複数のサーバ装置によって起動と停止を制御される電化装置によって消費される時間当たりの総消費電力を平均化し、電化装置全体で消費される総消費電力の最大消費電力値を低減するという最適化を図ることが可能となる。
【００２６】
また、本発明によれば、電化装置制御システムは、複数の電化装置と、前記電化装置によって消費される電力に基づいて前記電化装置の起動と停止の制御を行う複数のサーバ装置と、前記電化装置の電源ケーブルに流れる電流を計測するセンサを有する無線発信装置と、前記サーバ装置に接続され、前記サーバ装置ごとの余剰電力値を記憶する余剰電力記憶手段を有する管理サーバ装置とから構成されている。サーバ装置は、状態記憶手段から電化装置ごとのＩＤと稼動情報と消費電力とを読み出し、読み出した稼動情報と消費電力とに基づいて状態記憶手段に記憶されている全ての電化装置よって消費される総消費電力値を算出する。そして、算出された総消費電力値と、予め設定されている最大電力値と、状態記憶手段に記憶されている電化装置ごとの消費電力値とに基づいて残電力値を算出し、算出した残電力値に基づいて残電力の過不足を判定する。サーバ装置が、残電力値に余剰電力が存在すると判定した場合には、管理サーバ装置に、余剰電力値を含む余剰電力通知を送信する。一方、残電力値が不足していると判定した場合には、管理サーバ装置に、不足電力値を含んだ不足電力要求を送信する。管理サーバ装置は、余剰電力通知が受信した場合には、余剰電力通知に含まれる電力値を余剰電力記憶手段の送信元のサーバ装置に対応する余剰電力値に加算する。一方、管理サーバ装置は、不足電力要求が受信した場合には、不足電力要求に含まれる電力値と、余剰電力記憶手段に記憶されている余剰電力値とに基づいて電力を提供できるか否かを判定する。そして、電力が提供できると判定された場合に、提供電力の値を含む不足電力応答を不足電力要求の送信元のサーバ装置に送信する構成にした。そのため、管理サーバ装置は、余剰電力を有するサーバ装置に電力が不足しているサーバ装置へ余剰電力を提供することができる。それによって、サーバ装置の間で電力を提供し合うことができ、電化装置によって消費される時間当たりの総消費電力を平均化し、電化装置制御システムにおける最大消費電力値を低減するという最適化を図ることが可能となる。
【発明を実施するための最良の形態】
【００２７】
以下、本発明の一実施形態による電力サービス管理システム及び電化装置制御システムを図面を参照して説明する。
図１は、本実施形態による電力サービス管理システム１及び電化装置制御システム２を示す概略ブロック図である。
【００２８】
図１において、電力サービス管理システム１は、例えば、電力会社から供給されている電力を共同で利用する環境、例えば複数の家庭が居住するマンションなどで用いられるシステムであり、複数の電化装置制御システム２の間における電力の割り当てを行う。
電力サービス管理システム１において管理サーバ装置５０は、複数の電化装置制御システム２の間で電力が余剰な電化装置制御システム２から電力が不足している電化装置制御システム２へ電力を提供させて、複数の電化装置制御システム２における電力の割り当てを行う。
【００２９】
次に、電化装置制御システム２は、例えば、１つの住居内やオフィスで利用される電力の消費を最適化するシステムである。電化装置制御システム２において、サーバ装置１０は、無線信号を受信する無線タグリーダ１２を備えており、無線タグリーダ１２を介して受信した電化装置２０ａ〜２０ｚの情報に基づいて消費される電力を最適化する。
【００３０】
電化装置２０ａ〜電化装置２０ｚは、一般的に家庭で利用される炊飯器やテレビなどの電化装置に該当する。本実施形態では、タイマを備える炊飯器のような電化装置を電化装置２０ａとし、タイマを備えず、ユーザによってスイッチが押下されると待機時間なく起動するテレビなどの電化装置を電化装置２０ｚとして説明する。
【００３１】
タイマを備える電化装置２０ａにおいて、制御部２１ａは、電化装置２０ａによって行われる処理を実行する。メモリ２３ａは、電化装置２０ａ〜２０ｚごとに付与されている電化装置２０ａのＩＤ（ＩＤｅｎｔｉｆｉｃａｔｉｏｎ）と、電化装置２０ａの消費電力値と、タイマ２４ａが制御部２１ａを起動する起動時刻と、予定完了時間と、一連の制御に必要な必要動作時間とを記憶する。ここで、一連の制御とは、一定の電力を消費するような制御であり、例えば電化装置２０ａが炊飯器の場合には炊飯を行う制御を示しており、炊飯後の保温の制御は含まれないものとする。
【００３２】
設定状況監視タグ２２ａは、例えば、ＲＦＩＤ（Ｒａｄｉｏ  Ｆｒｅｑｕｅｎｃｙ  Ｉｄｅｎｔｉｆｉｃａｔｉｏｎ）方式の無線信号を自ら発信するアクティブタグと呼ばれるタイプの無線タグである。また、設定状況監視タグ２２ａは、メモリ２３ａに接続されており、電源が供給された時にメモリ２３ａに記憶されているＩＤと消費電力値とを読み出す。また、設定状況監視タグ２２ａは、後述する予定設定制御装置１１から電化装置２０ａを起動、停止あるいはタイマ２４ａの起動時刻を設定させるための制御情報を含む無線信号を受信する。タイマ２４ａは、制御部２１ａとメモリ２３ａに接続され、内部に時計を有しており、メモリ２３ａに記憶されている起動時刻に基づいて制御部２１ａを起動させる。
【００３３】
タイマを備えない電化装置２０ｚにおいて、制御部２１ｚは、電化装置２０ｚによって行われる処理を実行する。メモリ２３ｚは、電化装置２０ｚのＩＤと電化装置２０ｚの消費電力値とを記憶する。設定状況監視タグ２２ｚは、設定状況監視タグ２２ａと同じくアクティブタグと呼ばれる自ら無線信号を発信するタイプの無線タグである。設定状況監視タグ２２ａは、制御部２２ｚとメモリ２３ｚに接続され、電源が供給された時にメモリ２３ｚからＩＤと消費電力値を読み出す。また、設定状況監視タグ２２ｚは、後述する予定設定制御装置１１から電化装置２０ｚを起動、停止させるための制御情報を含む無線信号を受信する。
【００３４】
電流計付無線タグ３０ａ〜３０ｚは、ＲＦＩＤ方式の無線信号を自ら発信するアクティブタグと呼ばれるタイプの無線タグである。電流計付無線タグ３０ａ〜３０ｚは、電源ケーブルを挟むことが可能な構造を有している。電流計付無線タグ３０ａ〜３０ｚにおいて、センサ３１ａ〜３１ｚは、電源ケーブルを流れる電流値を検出し、当該電流値と、電化装置２０ａ〜２０ｚが稼動中であるか停止中であるかを予め設定されている閾値とを比較することによって判定する。発信部３２ａ〜３２ｚは、センサ３１ａ〜３１ｚによる「稼動中」あるいは「停止中」の判定結果と、電流計付無線タグ３０ａ〜３０ｚがクリップされている電化装置２０ａ〜２０ｚのＩＤとを含む無線信号を無線タグリーダ１２に送信する。なお、電化装置２０ａ〜２０ｚのＩＤは、予め電流計付無線タグ３０ａ〜３０ｚの内部のメモリなどに設定されているものとする。
【００３５】
予定設定制御装置１１は、上述したサーバ装置の指示手段に該当し、サーバ装置１０に接続され、サーバ装置１０からの指示情報から電化装置２０ａ〜２０ｚを起動または停止、あるいはタイマ２４ａの起動時刻を設定するための制御情報を読み出し、読み出した当該制御情報を含む無線信号を電化装置２０ａ〜２０ｚに送信する。
【００３６】
図２は、サーバ装置１０の内部構成を示したブロック図である。
サーバ装置１０において、記録部１３は、無線タグリーダ１２から無線タグリーダ１２が受信した無線信号に含まれる情報を受信し、受信した情報を状態記憶部１５に記録する。また、記録部１３は、新たに情報を記録した場合には、情報が追加されたことを消費電力算出部１６に通知する。記録部１３が受信する情報としては、送信元の無線タグの種類により以下の（１）と（２）の二通りの情報が存在する。
（１）無線タグリーダ１２が、タイマ２４ａを備えた設定状況監視タグ２２ａから無線信号を受信する場合には、ＩＤと消費電力値と予定完了時刻と必要動作時間と起動時刻とから構成される情報を状態記憶部１５に記録する。タイマを備えない設定状況監視タグ２２ｚから無線信号を受信した場合には、ＩＤと消費電力値とから構成される情報を状態記憶部１５に記録する。
（２）無線タグリーダ１２が、電流計付無線タグ３０ａ〜３０ｚから無線信号を受信する場合には、ＩＤに基づいて稼動情報を状態記憶部１５に記録する。
【００３７】
入力部１４は、ユーザの操作を受けたキーボードやマウス等から入力情報を検出して入力し、入力する入力情報を状態記憶部１５に記録する。
消費電力算出部１６は、記録部１３から情報が追加された通知を受信し、状態記憶部１５から稼動中の電化装置２０ａ〜２０ｚの消費電力値を読み出して総消費電力値を算出し、算出した総消費電力値を予定生成部１８へ送信する。
【００３８】
予定生成部１８は、消費電力算出部１６から受信した総消費電力値と、予め設定されている最大電力値と、状態記憶部１５に記憶されている稼動情報と、予定完了時刻と、必要動作時間と、起動時刻とに基づいて電化装置２０ａ〜２０ｚの起動と停止を行うための予定情報を生成するとともに、起動のために必要となる電力量を算出する。ここで、最大電力値とは、それ以上使用するとブレーカが作動し、電源の供給が停止される値であり、例えば、１つの家庭が電力会社と契約している契約電力値などに相当する。
【００３９】
また、予定生成部１８は、生成した予定情報に基づいて電化装置２０ａ〜２０ｚを起動または停止、あるいは起動時刻を設定するための情報を含む指示情報を予定設定制御装置１１に送信する。
【００４０】
さらに、また、予定生成部１８は、上記の起動のために必要となる電力量と、最大電力量とに基づいて電力が余剰しているか不足しているかを判定し、余剰している場合には、余剰している電力を他へ提供するため、状態記憶部１５に余剰電力値と提供可能期限を記録し、管理サーバ接続部１７に余剰電力値と提供可能期限とを送信する。また、予定生成部１８は、電力が不足している場合には、管理サーバ接続部１７に不足電力値と提供必要期間を送信する。
【００４１】
管理サーバ接続部１７は、管理サーバ装置５０に接続され、予定生成部１８から受信した余剰電力値と提供可能期限とに、サーバ装置１０ごとに付与されたサーバＩＤを加え、これらの情報を含む余剰電力通知を管理サーバ装置５０に送信する。また、管理サーバ接続部１７は、予定生成部１８から受信した不足電力値と提供必要期間とに、サーバＩＤを加え、これらの情報を含む不足電力要求を管理サーバ装置５０に送信する。また、管理サーバ接続部１７は、管理サーバ装置５０から、不足電力応答を受信した場合には、予定生成部１８へ不足電力応答に含まれる提供電力と提供期間を送信する。
【００４２】
出力部１９は、電力が不足しているために起動できなかった電化装置２０ａ〜２０ｚが存在した場合に利用者に対して警告を出力する。
【００４３】
図３は、状態記憶部１５のデータ構成を示した図である。
状態記憶部１５は、「電化装置名」と、「ＩＤ」と、「消費電力」と、「稼動状態」と、「予定完了時刻」と、「必要動作時間」と、「起動時刻」との項目から１つのエントリが構成されている。
【００４４】
「電化装置名」には、ユーザの操作を受けた入力部１４によって洗濯乾燥機、食器洗乾燥機などの電化装置の名称が記録される。「ＩＤ」には電化装置２０ａ〜２０ｚごとに付与されているＩＤが記録部１３によって記録される。「消費電力」には、記録部１３によって電化装置２０ａ〜２０ｚごとの消費電力値が記録される。「稼動状態」には、記録部１３によって“稼動中”あるいは“停止中”の稼動情報が記録される。タイマ２４ａを備えた電化装置２０ａの場合には、更に、「予定完了時刻」に、記録部１３によって時刻情報が記録される。「必要動作時間」には、記録部１３によって動作に必要な時間情報が記録される。「起動時刻」には、記録部１３によってタイマ２４ａが制御部２１ａを起動させるための時刻情報が設定される。タイマを備えない電化装置２０ｚの場合には、「予定完了時刻」、「必要動作時間」、「起動時刻」の項目は設定されない。
【００４５】
また、図３に示されている「電化装置名」が“提供電力”のエントリは、他のサーバ装置に提供した余剰電力の情報であり、電化装置名に“提供電力”と記録されるとともに提供可能期限が記録される。また、「消費電力」には他のサーバ装置に提供した余剰電力値が記録され、「稼動状態」には“稼動中”が記録される。これによって、提供電力を他の電化装置２０ａ〜２０ｚによって消費される消費電力と同様に扱うことが可能となる。
【００４６】
図４は、管理サーバ装置５０の内部構成を示したブロック図である。
管理サーバ装置５０において、受信部５１は、サーバ装置１０の管理サーバ接続部１７に接続され、管理サーバ接続部１７から余剰電力通知あるいは不足電力要求を受信する。
【００４７】
判定部５２は、受信部５１に接続され、受信部５１が受信した情報が余剰電力通知であるか不足電力要求であるかを判定し、余剰電力通知の場合には余剰電力通知に含まれているサーバ装置１０ごとに付与されたサーバＩＤと余剰電力値と提供可能期限を読み出して、記録部５３に送信する。
また、判定部５２は、受信部５１が受信した情報が不足電力要求の場合には、不足電力要求に含まれているサーバＩＤと不足電力値と提供必要期間とを読み出して電力提供判定部５５に送信する。
【００４８】
記録部５３は、判定部５２に接続され、判定部５２から受信したサーバＩＤと余剰電力値と提供可能期限とをサーバＩＤに基づいて余剰電力記憶部５４に記録する。記録する際に、当該サーバＩＤにおいて記録されている情報が存在する場合には、最も長時間提供できる余剰電力値と提供可能期限とを記録する。
電力提供判定部５５は、判定部から受信したサーバＩＤと不足電力値と提供必要期間及び余剰電力記憶部５４に記憶されている余剰電力値と提供可能期限とに基づいて提供できる余剰電力が存在するか否かを判定する。
【００４９】
更新部５６は、電力提供判定部１５に接続され、電力提供判定部５５から提供先のサーバＩＤと提供元のサーバＩＤと提供電力の値と提供期間とを受信して提供元のサーバＩＤに対応する余剰電力記憶部５４の余剰電力値を減算する。また、更新部５６は、当該提供元のサーバＩＤに対応付けて、提供電力の値と、提供先のサーバＩＤと、提供期間とを余剰電力記憶部５４に履歴として記録する。
【００５０】
送信部５７は、電力提供判定部５５に接続され、電力提供判定部５５から提供電力の値が０である情報を受信し、提供電力の値を０とした不足電力応答を管理サーバ接続部１７に送信する。また、送信部５７は、更新部５６に接続され、更新部５６から提供元のサーバＩＤと、提供電力の値と、提供期間とを受信し、これらの情報を含む不足電力応答を管理サーバ接続部１７に送信する。
【００５１】
図５は、余剰電力記憶部５４のデータ構成を示した図である。
余剰電力記憶部５４は、「サーバＩＤ」と、「余剰電力情報」と、「提供可能期限」と、「提供履歴」のエントリから１つのデータが構成されている。「サーバＩＤ」には、サーバ装置ごとに付与されているサーバＩＤが記録部５３によって記録される。「余剰電力情報」には、記録部５３によって余剰電力値が記録される。「提供可能期限」には提供可能期限の情報が記録される。「提供履歴」は、「提供電力」、「提供先サーバＩＤ」、「提供期間」から１つ履歴が構成されており、「提供電力」には、提供電力の値が更新部５６によって記録され、「提供先サーバＩＤ」には、提供先のサーバＩＤが更新部５６によって記録され、「提供期間」には、提供期間の情報が更新部５６によって記録される。
【００５２】
なお、記録部５３が余剰電力記憶部５４に余剰電力値と提供可能期限を記録する際に、当該サーバＩＤにおいて記録されている情報が存在する場合には、最も長時間提供できる余剰電力値と提供可能期限とを記録するようにしているが、最も長時間提供できる余剰電力値と提供可能期限ではなく、最も多い余剰電力値とその余剰電力値を提供できる提供可能期限を記録するようにしてもよい。
【００５３】
また、上述したサーバ装置は、サーバ装置１０に該当する。サーバ装置における第１の受信手段及び第２の受信手段は、無線タグリーダ１２に該当し、指示手段は予定設定制御装置１１に該当する。また、第１の記録手段及び第２の記録手段は記録部１３に該当し、消費電力算出手段は消費電力算出部１６に該当する。また、予定生成手段及び判定手段は、予定生成部１８に該当し、余剰電力通知手段と不足電力要求手段は管理サーバ接続部１７に該当する。
【００５４】
また、上述した電化装置は電化装置２０ａ〜２０ｚに該当し、電化装置における発信手段と受信手段は設定状況監視タグ２２ａ〜２２ｚに該当する。また、制御手段及びタイマはそれぞれ制御部２１ａ〜２１ｚとタイマ２４ａに該当する。
【００５５】
また、上述した無線発信装置は電流計付無線タグ３０ａ〜３０ｚに該当し、無線発信装置におけるセンサはセンサ３１ａ〜３１ｚに該当し、発信手段は発信部３２ａ〜３２ｚに該当する。
【００５６】
また、上述した管理サーバ装置は管理サーバ装置５０に該当し、管理サーバ装置における受信手段、判定手段、余剰電力記録手段、電力提供判定手段、更新手段、送信手段は、それぞれ受信部５１、判定部５２、記録部５３、電力提供判定部５５、更新部５６、送信部５７に該当する。
【００５７】
次に、図６から図１１を参照して、電力サービス管理システム１及び電化装置制御システム２における処理について説明する。
【００５８】
図６及び図７は、サーバ装置１０における状態記録部１５への電化装置２０ａ〜２０ｚの登録及び削除の処理を示したフローチャートである。
図６において、タイマを備えた電化装置２０ａの設定状況監視タグ２２ａは、電力が供給されると、一定の時間間隔でメモリ２３ａから、電化装置２０ａのＩＤと、電化装置２０ａの消費電力値と、予定完了時間と、必要動作時間と、起動時刻とを読み出し、ＩＤと、消費電力値と、予定完了時間と、必要動作時間と、起動時刻とを含んだ無線信号を発信する。
また、タイマを備えない電化装置２０ｚの場合には、設定状況監視タグ２２ｚは、一定間隔でメモリ２３ｚから、電化装置２０ｚのＩＤと、電化装置２０ｚの消費電力値とを読み出し、ＩＤと、消費電力値とを含んだ無線信号を発信する。
【００５９】
無線タグリーダ１２は電化装置２０ａ〜２０ｚの設置状況監視タグから無線信号を受信する。無線タグリーダ１２は受信した無線信号に含まれている情報を読み出し、サーバ装置１０の記録部１３に読み出した情報を送信する（ステップＳａ１）。サーバ装置１０の記録部１３は、無線タグリーダ１２から受信した情報に含まれるＩＤが状態記憶部１５に存在するか否かを判定する（ステップＳａ２）。ＩＤが状態記憶部１５に存在する場合には、記録部１３は、当該ＩＤに基づいて、受信した情報を対応するエントリに上書きして処理を終了する（ステップＳａ３）。一方、ＩＤが状態記憶部１５に存在しない場合には、状態記憶部１５に新たにエントリを生成し、受信した情報を記録して処理を終了する（ステップＳａ４）。
【００６０】
図７において、サーバ装置１０の記録部１３は、無線タグリーダ１２を介して一定期間の間に設定状況監視タグ２２ａ〜２２ｚから情報を受信しているか否かを判定する（ステップＳｂ１）。一定期間の間に受信している場合には処理を終了する。一方、一定期間の間に受信していない場合には、受信していない電化装置２０ａ〜２０ｚのＩＤに対応する状態記憶部１５のエントリを削除して処理を終了する（ステップＳｂ２）。
【００６１】
次に図８から図１１を参照して、サーバ装置１０及び管理サーバ装置５０における消費電力の最適化処理について説明する。
【００６２】
最初に、電流計付タグ３０ａ〜３０ｚのセンサ３１ａ〜３１ｚは、一定間隔で電化装置２０ａ〜２０ｚの電源ケーブルに流れている電流値を検出し、電流値が所定の値を超えていると、電化装置２０ａ〜２０ｚが稼動したと判定して、「稼動中」の稼動情報と内部に記憶している電化装置２０ａ〜２０ｚに付与されているＩＤを含む無線信号を発信部３２ａ〜３２ｚに発信させる。一方、電流値が所定の値を超えていない場合には、電化装置２０ａ〜２０ｚは停止していると判定し、「停止中」の稼動情報とＩＤとを含む無線信号を発信部３２ａ〜３２ｚに発信させる。
【００６３】
無線タグリーダ１２は、電流計付タグ３０ａ〜３０ｚから無線信号を受信すると、無線信号に含まれている稼動情報とＩＤとを読み出して記録部１３に送信する（ステップＳｃ１）。記録部１３は、無線タグリーダ１２から受信したＩＤに対応付けて稼動情報を状態記憶部１５に記録する（ステップＳｃ２）。記録部１３は、状態記憶部１５への記録が終了すると、新たな電力消費の情報が記録されたことを消費電力算出部１６に通知する（ステップＳｃ３）。消費電力算出部１６は、記録部１３から通知を受信すると、状態記憶部１５から各電化装置２０ａ〜２０ｚの消費電力値と稼動情報を読み出し、稼動情報が「稼動中」の電化製品２０ａ〜２０ｚの消費電力値を合計し、総消費電力値を算出する（ステップＳｃ４）。
【００６４】
次に、消費電力算出部１６は、状態記憶部１５から電化装置名とＩＤと消費電力値と稼動情報と予定完了時刻と必要動作時間と起動時刻の情報を読み出し、読み出した情報と算出した総消費電力とを予定生成部１８に送信する。予定生成部１８は、後述する予定情報生成の処理を行う。予定情報生成の処理結果として、電力が「不足」しているか、「余剰」であるか、「過不足なし」であるかが得られる。また、予定情報と、予定情報に基づく更新後の総消費電力が得られる（ステップＳｃ５）。そして、予定生成部１８は、予定情報生成処理の処理結果が、「不足」、「余剰有」、「過不足なし」のいずれであるかを判定する（ステップＳｃ６）。
【００６５】
「過不足なし」として判定された場合には、予定生成部１８は、予定情報生成処理によって生成された予定情報に従って電化装置２０ａ〜２０ｚの中で変更のある装置について起動あるいは起動時刻の設定を行う制御情報または停止の制御情報を含む指示情報を予定設定制御装置１１へ送信する。指示情報を受信した予定設定制御装置１１は、該当する電化装置２０ａ〜２０ｚに当該制御情報を含む無線信号を送信する（ステップＳｃ７）。
【００６６】
一方、ステップＳｃ６において「不足」として判定された場合には、図９に示すように予定生成部１８は、予定情報生成処理の戻り値として得られた不足電力値と、提供必要期間とを管理サーバ接続部１７に送信する。管理サーバ接続部１７は、不足電力値と、提供必要期間と自サーバＩＤとを含む不足電力要求を管理サーバ５０に送信する（ステップＳｃ１０）。
【００６７】
次に、管理サーバ接続部１７は、不足電力応答を管理サーバ装置５０から受信し、不足電力応答に含まれている提供電力の値と提供期間を予定生成部１８に送信する（ステップＳｃ１１）。電力値を受信した予定生成部１８は、受信した提供電力の値が不足電力値以上であるか否かを判定する（ステップＳｃ１２）。受信した提供電力の値が不足電力値以上である場合には、提供期間の間、内部に記憶している最大電力値を変更する（ステップＳｃ１３）。そして、予定生成部１８は、生成した予定情報に従って電化装置２０ａ〜２０ｚの中で変更のある装置について起動あるいは起動時刻の設定を行う制御情報または停止の制御情報を含む指示情報を予定設定制御装置１１へ送信する。指示情報を受信した予定設定制御装置１１は、該当する電化装置２０ａ〜２０ｚに当該制御情報を含む無線信号を送信する（ステップＳｃ１４）。
【００６８】
一方、ステップＳｃ１２において、受信した電力値が不足電力値未満である場合には、予定生成部１８は、生成した予定情報から、電力が不足しているために起動できない電化装置２０ａ〜２０ｚの起動を除き、予定情報に従って電化装置２０ａ〜２０ｚの中で変更のある装置について起動あるいは停止あるいは起動時刻の制御情報を含む指示情報を予定設定制御装置１１へ送信する。指示情報を受信した予定設定制御装置１１は、該当する電化装置２０ａ〜２０ｚに当該制御情報を含む無線信号を送信する（ステップＳｃ１５）。予定生成部１８は、起動できなかった電化装置２０ａ〜２０ｚの名称を状態記憶部１５から読み出して出力部１９に出力させ、利用者への警告を行う（ステップＳｃ１６）。
【００６９】
一方、ステップＳｃ６において「余剰有」として判定された場合には、図１０に示すように予定生成部１８は、予定情報生成処理の戻り値として得られた余剰電力値と提供可能期限とともに自サーバＩＤとを管理サーバ接続部１７に送信する。管理サーバ接続部１７は、余剰電力値と提供可能期限とサーバＩＤとを含む余剰電力通知を管理サーバ装置５０に送信する（ステップＳｃ２０）。
【００７０】
予定生成部１８は、状態記憶部１５に、「電化装置名」に“提供電力”のエントリを生成し、さらに生成したエントリの「電化装置名」に“提供電力”の名称と提供可能期限とを記録する。また、消費電力に提供した余剰電力値を記録し、稼動状態に「稼動中」として記録する。“提供電力”のエントリは、サーバ装置１０の内部の時計が当該提供可能期限になった時に、記録部１３によって削除される（ステップＳｃ２１）。そして、予定生成部１８は、生成した予定情報に従って電化装置２０ａ〜２０ｚの中で変更のある装置について起動あるいは起動時刻の設定を行う制御情報または停止の制御情報を含む指示情報を予定設定制御装置１１へ送信する。指示情報を受信した予定設定制御装置１１は、該当する電化装置２０ａ〜２０ｚに当該制御情報を含む無線信号を送信する（ステップＳｃ２２）。
【００７１】
図１１は、上述した予定生成部１８によって行われる予定情報生成の処理を示したフローチャートである。
最初に、予定生成部１８は、消費電力算出部１６から電化装置名とＩＤと消費電力値と稼動情報と予定完了時刻と必要動作時間と起動時刻とから構成される電化装置２０ａ〜２０ｚごとの情報と、総消費電力値とを受信する（ステップＳｄ１）。そして、総消費電力値と最大電力値とに基づいて電力が不足しているか否かを判定する。判定は、総消費電力値に瞬時的な増加電力を考慮した変動許容電力値を加算した値と最大電力値とを比較し、最大電力値以下の場合には不足していないと判定し、最大電力値を超えている場合には不足していると判定することによって行われる（ステップＳｄ２）。
【００７２】
不足していない場合には、予定生成部１８は、最大電力値から総消費電力値に瞬時的な増加電力を考慮した変動許容電力値を加算した値を減算した残電力値を算出し、算出した残電力値に基づいて稼動情報が「停止中」の電化装置２０ａ〜２０ｚについて起動させることが可能なものを抽出する（ステップＳｄ３）。そして、起動させることが可能な電化装置２０ａ〜２０ｚを含めて予定情報を生成し、総消費電力を更新する。ここで、予定情報の生成は、予約が可能なタイマ２４ａを備えた電化装置２０ａについて、状態記憶部１５に記録されている順に起動を行い、できるだけ複数の電化装置２０ａ〜２０ｚの稼動状態が重ならないように予定情報を生成することによって行われる（ステップＳｄ４）。
【００７３】
次に、予定生成部１８は、更新後の総消費電力値と最大電力値に基づいて電力が余剰であるか否かを判定する。判定は、更新後の総消費電力に予め設定されている提供が可能な余剰電力値を加えた値と、最大電力値とを比較し、更新後の総消費電力に予め設定されている提供が可能な余剰電力値を加えた値が最大電力値未満である場合に、「余剰有」と判定され、当該値が最大電力値以上である場合には「過不足なし」として判定する（ステップＳｄ５）。「過不足なし」の場合には戻り値に「過不足なし」を設定して処理を終了する（ステップＳｄ６）。一方、「余剰有」と判定された場合には、提供可能期限を抽出する（ステップＳｄ７）。そして、余剰電力値と、提供可能期限と、「余剰有」を戻り値に設定して処理を終了する（ステップＳｄ８）。
【００７４】
一方、ステップＳｄ２において、不足していると判定された場合には、予定生成部１８は、最初に、停止することで消費電力を削減可能な電化装置２０ａ〜２０ｚを抽出する。さらに判定の時から一定時間の間に起動が予定されているタイマ２４ａを備えた電化装置２０ｚについて、起動時刻を変更可能なものについては変更を行い、変更後の総消費電力を算出する（ステップＳｄ１０）。そして、変更後の総消費電力に瞬時的な増加電力を考慮した変動許容電力値を加算した値と、最大電力値とを比較し、変更後の状態で電力が不足しているか否かを判定する（ステップＳｄ１１）。不足していないと判定された場合には、ステップＳｄ４に進み、停止する電化装置２０ａ〜２０ｚの情報及び起動時刻を変更する電化装置２０ａ〜２０ｚの情報に基づいて予定情報の生成と、総消費電力の更新を行う。一方、不足していると判定された場合には、最大電力値から変更後の総消費電力に瞬時的な増加電力を考慮した変動許容電力値を加算した値を減算し、不足電力値と、提供必要期間を抽出する（ステップＳｄ１２）。そして、不足時に起動できない電化装置２０ａ〜２０ｚの情報を含んだ予定情報の生成を行い、変更後の総消費電力に更新した総消費電力を算出する（ステップＳｄ１３）。そして、不足電力と、提供必要期間と、「不足」とを戻り値に設定して処理を終了する（ステップＳｄ１４）。
【００７５】
なお、ステップＳｄ４及びＳｄ９においてタイマ２４ａを備えた電化装置２０ａの起動時刻の変更を行う場合に、炊飯器のように停止後に保温などの電力を要するものは後回しにするような規則を設けてもよい。
【００７６】
また、電化装置としてエアコンなどのように温度高低、運転モード（冷房、ドライなど）を切り替えることによって消費電力の軽減が可能な電化装置の場合には、停止を行うのではなく、切り替えを行って消費電力を削減するようにしてもよい。
【００７７】
また、電化装置によって異なる処理を行う場合には、電化装置名に基づいて処理を分けるようにしてもよい。
【００７８】
また、上述した実施形態では余剰電力値は予め設定された固定値としているが、最大電力値と総消費電力値とに基づいて変動させるようにしてもよいが、テレビなどのいつ起動されるか不明である電化装置２０ｚなどを考慮して上限が設定することが望ましい。
【００７９】
次に、図１２は、管理サーバ装置５０における余剰電力管理及び電力提供判定の処理を示したフローチャートである。
最初に、管理サーバ装置５０の受信部５１がサーバ装置１０の管理サーバ接続部１７から情報を受信する。受信部５１は、受信した情報を判定部５２に送信する（ステップＳｅ１）。判定部５２は、受信した情報が不足電力要求か余剰電力通知かを判定する（ステップＳｅ２）。余剰電力通知の場合には、判定部５２は、余剰電力通知に含まれている送信元のサーバＩＤと、余剰電力値と、提供可能期限とを読み出す（ステップＳｅ３）。そして、判定部５２は読み出した送信元のサーバＩＤと、余剰電力値と、提供可能期限とを記録部５３に送信する。記録部５３は、既に記録されている余剰電力値と、提供可能期限と、受信した余剰電力値と、提供できる期限とに基づいて最も長時間提供可能な余剰電力値と、その提供できる期限とを余剰電力記憶部５４に記録する（ステップＳｅ４）。
【００８０】
一方、受信した情報が不足電力要求の場合には、判定部５２は、不足電力要求に含まれている送信元のサーバＩＤと不足電力値と提供必要期間と読み出す（ステップＳｅ５）。そして、判定部５２は、読み出した送信元のサーバＩＤと不足電力値と期間とを電力提供判定部５５に送信する。電力提供判定部５５は、余剰電力記憶部５４から余剰電力値を読み出す（ステップＳｅ６）。そして、読み出した余剰電力値と提供可能期限及び受信した不足電力値と提供必要期間とに基づいて提供できる余剰電力が存在するかを判定する（ステップＳｅ７）。提供できる余剰電力が存在しない場合には、電力提供判定部５５は、提供電力の値を０とし、当該提供電力の値と送信元のサーバＩＤとを送信部５７に送信し、送信部５７は、当該提供電力の値を含む不足電力応答を送信元のサーバ装置１０の管理サーバ接続部１７に送信する（ステップＳｅ８）。
【００８１】
一方、提供できる電力が存在する場合には、電力提供判定部５５は、更新部５６に不足電力要求の送信元のサーバＩＤと、提供元のサーバＩＤと、提供電力の値と、提供期間とを送信する。更新部５６は、提供先のサーバＩＤと、提供元のサーバＩＤと、電力値と、提供する期間とを受信して余剰電力記憶部５４の提供元サーバＩＤに対応する余剰電力値から受信した電力値を減算し、提供履歴に、提供電力の値と提供先のサーバＩＤと提供する期間とを記録する（ステップＳｅ９）。そして、提供電力の値と送信元のサーバＩＤとを送信部５７に送信する。送信部５７は、提供電力の値を含む不足電力応答を送信元のサーバ装置１０の管理サーバ接続部１７に送信する（ステップＳｅ１０）。
【００８２】
なお、上述した実施形態において、予定情報作成の期間は特に限定していないが、サーバ装置のコンピュータの処理能力や利用者の使い勝手などを考慮するのであれば、一定の期間、例えば１日ごとのように制限するようにしてもよい。
【００８３】
また、上述した実施形態において、各電化装置２０ａ〜２０ｚの消費電力値は予め設定されている固定値としていたが、電化装置２０ａ〜２０ｚの電圧値を状態記憶部１５に記憶させておき、無線発信装置３０ａ〜３０ｚにセンサ３１ａ〜３１ｚによって検出された電流値を無線信号に含めて発信させ、電圧値と電流値を乗算することによって詳細な消費電力を算出するようにしてもよい。
【００８４】
次に、図１３から図１４を参照して、本実施形態における電化装置制御システム２を利用した場合の消費電力最適化処理の効果について説明する。
【００８５】
図１３は、電化装置制御システム２において予約情報による稼動制御を行わない場合の各電化装置の動作を示したタイミングチャートである。
図１３では、ある利用者が、入浴が終了した時点で、炊飯器、食器洗乾燥機、洗濯乾燥機の３台について、翌日の朝起きる時刻までに上述した一連の制御が完了するように予約したと仮定する。そのとき、予定情報による稼動制御が行われないと、３台の電化装置が同時に起動を開始してしまう。この場合、最大消費電力は３台分必要となる。
【００８６】
図１４は、図１３と同じ仮定において、電化装置制御システム２によって予約情報による稼動制御が行われた場合を示したタイミングチャートである。上述したように、できるだけ複数の電化装置の稼動が重複しないように制御されており、また、炊飯器のように炊飯後に保温のための電力を利用する電化装置は後に稼動するように制御されている。つまり、図１４の場合には、必要となる最大の消費電力は、おおよそ電化装置１台分の消費電力となる。つまり、電化装置によって消費される時間当たりの総消費電力が平均化されており、電化装置制御システム２における最大消費電力値を低減するという消費電力の最適化が行われている。
【００８７】
上述のサーバ装置、管理サーバ装置は内部に、コンピュータシステムを有している。そして、上述した電化装置の登録及び削除の処理及び消費電力最適化の処理及び余剰電力管理及び電力提供判定の処理は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００８８】
【図１】本実施形態による電力サービス管理システム及び電化装置制御システムを示す概略ブロック図である。
【図２】同実施形態におけるサーバ装置の内部構成を示したブロック図である。
【図３】同実施形態における状態記憶部のデータ構成を示した図である。
【図４】同実施形態における管理サーバ装置の内部構成を示したブロック図である。
【図５】同実施形態における余剰電力記憶部のデータ構成を示した図である。
【図６】同実施形態における電化装置の登録の処理のフローチャートである。
【図７】同実施形態における電化装置の削除の処理のフローチャートである。
【図８】同実施形態における消費電力最適化の処理のフローチャート（その１）である。
【図９】同実施形態における消費電力最適化の処理のフローチャート（その２）である。
【図１０】同実施形態における消費電力最適化の処理のフローチャート（その３）である。
【図１１】同実施形態における予定情報生成の処理のフローチャートである。
【図１２】同実施形態における余剰電力管理及び電力提供判定の処理を示したフローチャートである。
【図１３】同実施形態における消費電力最適化処理の効果（その１）を示した図である。
【図１４】同実施形態における消費電力最適化処理の効果（その２）を示した図である。
【符号の説明】
【００８９】
１０  サーバ装置
１３  記録部
１４  入力部
１５  状態記憶部
１６  消費電力算出部
１７  管理サーバ接続部
１８  予定生成部
１９  出力部
【図１】
2006164171.tif 000003
【図２】
2006164171.tif 000004
【図３】
2006164171.tif 000005
【図４】
2006164171.tif 000006
【図５】
2006164171.tif 000007
【図６】
2006164171.tif 000008
【図７】
2006164171.tif 000009
【図８】
2006164171.tif 000010
【図９】
2006164171.tif 000011
【図１０】
2006164171.tif 000012
【図１１】
2006164171.tif 000013
【図１２】
2006164171.tif 000014
【図１３】
2006164171.tif 000015
【図１４】
2006164171.tif 000016